(57)【要約】計測装置は、流体に光を照射する照射部（１００）と、流体によって散乱された散乱光の前方散乱成分を受光する第１受光部（２１０）と、散乱光の後方散乱成分を受光する第２受光部（２２０）と、散乱光の側方散乱成分を受光する第３受光部（２３０）と、第１受光部、第２受光部及び第３受光部の受光信号に基づいて得られる、流体に関する流体情報を出力する出力部（４００）とを備える。この計測装置によれば、散乱光の前方散乱成分、後方散乱成分及び側方散乱成分が利用されるため、正確な流体情報を出力することができる。
2019064559.tif 000002
【特許請求の範囲】
【請求項１】
流体に光を照射する照射部と、
前記流体によって散乱された散乱光の前方散乱成分を受光する第１受光部と、
前記散乱光の後方散乱成分を受光する第２受光部と、
前記散乱光の側方散乱成分を受光する第３受光部と、
前記第１受光部、前記第２受光部及び前記第３受光部の受光信号に基づいて得られる、前記流体に関する流体情報を出力する出力部と
を備えることを特徴とする計測装置。
【請求項２】
前記出力部は、前記後方散乱成分と前記側方散乱成分との和、及び前記前方散乱成分に基づいて得られる、前記流体情報を出力することを特徴とする請求項１に記載の計測装置。
【請求項３】
前記照射部は、照射する光の光軸が、前記流体の流れる方向に対して斜めになるように配置されていることを特徴とする請求項１又は２に記載の計測装置。
【請求項４】
前記照射部は、照射する光の光軸が、前記流体の流れる方向に対して４５度近傍以外の角度となるように配置されていることを特徴とする請求項３に記載の計測装置。
【請求項５】
前記照射部は、第１照射部及び第２照射部を含み、
前記第１受光部は、前記第１照射部の散乱光の前方散乱成分を受光し、
前記第２受光部は、前記第１照射部の散乱光の後方散乱成分を受光し、
前記第３受光部は、前記第２照射部の散乱光の側方散乱成分を受光する
ことを特徴とする請求項１から４のいずれか一項に記載の計測装置。
【請求項６】
流体に光を照射する照射部と、
前記流体によって散乱された散乱光のうち、前記流体の内部を通過した第１成分を受光する第１受光部と、
前記散乱光のうち、前記流体の表層で前記照射部が位置する第１方向に散乱された第２成分を受光する第２受光部と、
前記散乱光のうち、前記流体の表層で前記第１方向とは異なる第２方向に散乱された第３成分を受光する第３受光部と、
前記第１受光部、前記第２受光部及び前記第３受光部の受光信号に基づいて得られる、前記流体に関する流体情報を出力する出力部と
を備えることを特徴とする計測装置。
【請求項７】
流体に光を照射する照射工程と、
前記流体によって散乱された散乱光の前方散乱成分を受光する第１受光工程と、
前記散乱光の後方散乱成分を受光する第２受光工程と、
前記散乱光の側方散乱成分を受光する第３受光工程と、
前記第１受光工程、前記第２受光工程及び前記第３受光工程の受光信号に基づいて得られる、前記流体に関する流体情報を出力する出力工程と
を備えることを特徴とする計測方法。
【請求項８】
流体に光を照射する照射工程と、
前記流体によって散乱された散乱光の前方散乱成分を受光する第１受光工程と、
前記散乱光の後方散乱成分を受光する第２受光工程と、
前記散乱光の側方散乱成分を受光する第３受光工程と、
前記第１受光工程、前記第２受光工程及び前記第３受光工程の受光信号に基づいて得られる、前記流体に関する流体情報を出力する出力工程と
をコンピュータに実行させることを特徴とするコンピュータプログラム。
【請求項９】
請求項８に記載のコンピュータプログラムを記憶していることを特徴とする記憶媒体。
【発明の詳細な説明】
【技術分野】
【０００１】
本発明は、流体に関する情報を計測可能な計測装置、計測方法、コンピュータプログラム及び記憶媒体の技術分野に関する。
【背景技術】
【０００２】
この種の装置として、流体に光を照射すると共に散乱光を受光して、流体に関する情報を計測するものが知られている。流体においては、照射された光が複数方向に散乱する。これらの散乱光を別々に検出すれば、夫々の特性を利用して流体に関する情報を計測することが可能とされている（例えば、特許文献１を参照）。
【先行技術文献】
【特許文献】
【０００３】
【特許文献１】特許第４４５１５６７号
【発明の概要】
【発明が解決しようとする課題】
【０００４】
散乱光には、前方散乱光及び後方散乱光だけでなく、側方散乱光（即ち、流体の表層において、光軸に対してほぼ垂直方向に散乱する光）が含まれる。しかしながら、この側方散乱光を利用して流体に関する情報を計測する方法については、改善の余地が十分に残されている。例えば、特許文献１に記載されている技術では、流体の成分が変わることにより、各散乱成分の関係性も変化する。よって、成分の異なる流体を計測しようとすると計測精度が大きく低下してしまうという技術的問題点がある。【０００５】
本発明が解決しようとする課題には上記のようなものが一例として挙げられる。本発明は、側方散乱光を利用して流体に関する情報を計測することが可能な計測装置、計測方法、コンピュータプログラム及び記憶媒体を提供することを課題とする。
【課題を解決するための手段】
【０００６】
上記課題を解決するための第１の計測装置は、流体に光を照射する照射部と、前記流体によって散乱された散乱光の前方散乱成分を受光する第１受光部と、前記散乱光の後方散乱成分を受光する第２受光部と、前記散乱光の側方散乱成分を受光する第３受光部と、前記第１受光部、前記第２受光部及び前記第３受光部の受光信号に基づいて得られる、前記流体に関する流体情報を出力する出力部とを備える。【０００７】
上記課題を解決するための第２の計測装置は、流体に光を照射する照射部と、前記流体によって散乱された散乱光のうち、前記流体の内部を通過した第１成分を受光する第１受光部と、前記散乱光のうち、前記流体の表層で前記照射部が位置する第１方向に散乱された第２成分を受光する第２受光部と、前記散乱光のうち、前記流体の表層で前記第１方向とは異なる第２方向に散乱された第３成分を受光する第３受光部と、前記第１受光部、前記第２受光部及び前記第３受光部の受光信号に基づいて得られる、前記流体に関する流体情報を出力する出力部とを備える。【０００８】
上記課題を解決するための計測方法は、流体に光を照射する照射工程と、前記流体によって散乱された散乱光の前方散乱成分を受光する第１受光工程と、前記散乱光の後方散乱成分を受光する第２受光工程と、前記散乱光の側方散乱成分を受光する第３受光工程と、前記第１受光工程、前記第２受光工程及び前記第３受光工程の受光信号に基づいて得られる、前記流体に関する流体情報を出力する出力工程とを備える。【０００９】
上記課題を解決するためのコンピュータプログラムは、流体に光を照射する照射工程と、前記流体によって散乱された散乱光の前方散乱成分を受光する第１受光工程と、前記散乱光の後方散乱成分を受光する第２受光工程と、前記散乱光の側方散乱成分を受光する第３受光工程と、前記第１受光工程、前記第２受光工程及び前記第３受光工程の受光信号に基づいて得られる、前記流体に関する流体情報を出力する出力工程とをコンピュータに実行させる。【００１０】
上記課題を解決するための記憶媒体は、上述したコンピュータプログラムを記憶している。
【図面の簡単な説明】
【００１１】
【図１】第１実施例に係る計測装置の構成を示す平面図である。
【図２】照射光の複数の散乱成分と各受光部の配置位置とを示す断面図（その１）である。
【図３】照射光の複数の散乱成分と各受光部の配置位置とを示す断面図（その２）である。
【図４】透過光量と側方散乱光量との関係を示すグラフである。
【図５】透過光量と後方散乱光量との関係を示すグラフである。
【図６】透過光量と側方散乱光量及び後方散乱光の和との関係を示すグラフである。
【図７】第２実施例に係る計測装置の構成を示す平面図である。
【発明を実施するための形態】
【００１２】
＜１＞
本実施形態に係る第１の計測装置は、流体に光を照射する照射部と、前記流体によって散乱された散乱光の前方散乱成分を受光する第１受光部と、前記散乱光の後方散乱成分を受光する第２受光部と、前記散乱光の側方散乱成分を受光する第３受光部と、前記第１受光部、前記第２受光部及び前記第３受光部の受光信号に基づいて得られる、前記流体に関する流体情報を出力する出力部とを備える。
【００１３】
本実施形態に係る第１の計測装置によれば、その動作時には、例えばチューブ内部を流れる流体に対して照射部から光が照射される。照射部から照射された光は、流体において散乱され散乱光となる。
【００１４】
散乱光は、相異なる位置に配置された複数の受光部において夫々受光される。具体的には、散乱光の前方散乱成分が第１受光部に受光され、散乱光の後方散乱成分が第２受光部に受光され、散乱光の側方散乱成分が第３受光部に受光される。第１受光部、第２受光部及び第３受光部の受光信号からは、流体に関する流体情報が取得され、出力部から出力される。
【００１５】
本実施形態では、上述したように少なくとも３つの散乱成分（即ち、前方散乱成分、後方散乱成分及び側方散乱成分）を用いて流体情報を取得するため、１つ又は２つの散乱成分だけに基づいて流体情報を取得する場合と比較して、正確な流体情報を出力することができる。
【００１６】
また、本実施形態における流体の一例は、血液であるが、血液以外の任意の流体（例えば、インク、油、汚水、調味料等）の計測にも適用可能である。
【００１７】
また、本実施形態における流体情報の一例は、流体の濃度に関する情報であってもよい。より具体的には、流体情報は、血液中に占める血球の体積の割合を示す数値（所謂ヘマトクリット値）に関する情報であってもよい。
【００１８】
＜２＞
本実施形態に係る計測装置の一態様では、前記出力部は、前記後方散乱成分と前記側方散乱成分との和、及び前記前方散乱成分に基づいて得られる、前記流体情報を出力する。
【００１９】
本願発明者の研究するところによれば、後方散乱成分と側方散乱成分の和と、前方散乱成分との間に、ある一定の関係があることが判明している。よって、後方散乱成分と側方散乱成分の和、及び前方散乱成分を用いれば、より容易に正確な流体情報を出力することが可能である。
【００２０】
＜３＞
本実施形態に係る計測装置の他の態様では、前記照射部は、照射する光の光軸が、前記流体の流れる方向に対して斜めになるように配置されている。
【００２１】
この態様によれば、流体の流れる方向に対して斜め光が照射されるため、側方散乱成分を受光する第３受光部の配置が容易となる。また、ドップラー信号の検出も容易となる。
【００２２】
＜４＞
上述した光軸が斜めになるように照射部が配置される態様では、前記照射部は、照射する光の光軸が、前記流体の流れる方向に対して４５度近傍以外の角度となるように配置されていてもよい。
【００２３】
仮に、流体の流れる方向に対して４５度近傍の角度で光が照射されると、側方散乱光を受光する第３受光部に後方散乱成分を含む強い散乱光が入射してしまい、側方散乱成分を適切に受光することができなくなってしまう。４５度近傍以外の角度で光を照射すれば、上述した不都合を回避することができる。
【００２４】
＜５＞
本実施形態に係る計測装置の他の態様では、前記照射部は、第１照射部及び第２照射部を含み、前記第１受光部は、前記第１照射部の散乱光の前方散乱成分を受光し、前記第２受光部は、前記第１照射部の散乱光の後方散乱成分を受光し、前記第３受光部は、前記第２照射部の散乱光の側方散乱成分を受光する。
【００２５】
この態様によれば、前方散乱成分及び後方散乱成分を発生させるための第１照射部と、側方散乱成分を発生させるための第２照射部とが別々に設けられる。よって、照射部が単一のものである場合と比較すると、夫々の散乱成分に適した条件での計測が可能となる。
【００２６】
＜６＞
本実施形態に係る第２の計測装置は、流体に光を照射する照射部と、前記流体によって散乱された散乱光のうち、前記流体の内部を通過した第１成分を受光する第１受光部と、前記散乱光のうち、前記流体の表層で前記照射部が位置する第１方向に散乱された第２成分を受光する第２受光部と、前記散乱光のうち、前記流体の表層で前記第１方向とは異なる第２方向に散乱された第３成分を受光する第３受光部と、前記第１受光部、前記第２受光部及び前記第３受光部の受光信号に基づいて得られる、前記流体に関する流体情報を出力する出力部とを備える。
【００２７】
本実施形態に係る第２の計測装置によれば、流体の内部を通過した第１成分が第１受光部に受光され、流体の表層で照射部が位置する第１方向に散乱された第２成分が第２受光部に受光され、流体の表層で第１方向とは異なる第２方向に散乱された第３成分が第３受光部に受光される。第１受光部、第２受光部及び第３受光部の受光信号からは、流体に関する流体情報が取得され、出力部から出力される。
【００２８】
本実施形態では、上述したように少なくとも３つの散乱成分（即ち、第１成分、第２成分及び第３成分）を用いて流体情報を取得するため、１つ又は２つの散乱成分だけに基づいて流体情報を取得する場合と比較して、正確な流体情報を出力することができる。
【００２９】
＜７＞
本実施形態に係る計測方法は、流体に光を照射する照射工程と、前記流体によって散乱された散乱光の前方散乱成分を受光する第１受光工程と、前記散乱光の後方散乱成分を受光する第２受光工程と、前記散乱光の側方散乱成分を受光する第３受光工程と、前記第１受光工程、前記第２受光工程及び前記第３受光工程の受光信号に基づいて得られる、前記流体に関する流体情報を出力する出力工程とを備える。
【００３０】
本実施形態に係る計測方法によれば、上述した計測装置と同様に、少なくとも３つの散乱成分を用いて流体情報を取得するため、１つ又は２つの散乱成分だけに基づいて流体情報を取得する場合と比較して、正確な流体情報を出力することができる。
【００３１】
＜８＞
本実施形態に係るコンピュータプログラムは、流体に光を照射する照射工程と、前記流体によって散乱された散乱光の前方散乱成分を受光する第１受光工程と、前記散乱光の後方散乱成分を受光する第２受光工程と、前記散乱光の側方散乱成分を受光する第３受光工程と、前記第１受光工程、前記第２受光工程及び前記第３受光工程の受光信号に基づいて得られる、前記流体に関する流体情報を出力する出力工程とをコンピュータに実行させる。
【００３２】
本実施形態に係るコンピュータプログラムによれば、上述した計測方法と同様の工程をコンピュータに実行させることができるため、正確な流体情報を出力することができる。
【００３３】
＜９＞
本実施形態に係る記憶媒体は、上述したコンピュータプログラムを記憶している。
【００３４】
本実施形態に係る記憶媒体によれば、記憶したコンピュータプログラムをコンピュータに実行させることができるため、正確な流体情報を出力することができる。
【００３５】
本実施形態に係る計測装置、計測方法、コンピュータプログラム及び記憶媒体の作用及び他の利得については、以下に示す実施例において、より詳細に説明する。
【実施例】
【００３６】
以下では、図面を参照して計測装置の実施例について詳細に説明する。なお、以下では、計測装置が、人工透析装置の血液回路を構成するチューブ内を流れる血液の濃度（ヘマトクリット値）を計測する装置に適用される場合を例にとり説明を進める。【００３７】
＜第１実施例＞
まず、第１実施例に係る計測装置の構成について、図１を参照して説明する。図１は、第１実施例に係る計測装置の構成を示す平面図である。【００３８】
図１に示すように、本実施例に係る計測装置は、チューブ３００内を流れる血液に対して光を照射することで、血液のヘマトクリット値を計測する装置として構成されている。計測装置は、照射部１００、第１受光部２１０、第２受光部２２０、第３受光部２３０、及び血液情報処理部４００を備えて構成されている。【００３９】
照射部１００は、例えばレーザ光源として構成されており、チューブ３００内を流れる血液に対して光を照射する。照射部１００は、照射する光の光軸が、血液の流れる方向（図中の流軸）に対してθ１の角度になるように配置されている。θ１は、９０度近傍及び４５度近傍以外の角度である。なお、θ１が９０度近傍になるのを避ける理由は、後述する第３受光部２３０の配置を容易とするためである。また、θ１が４５度になるのを避ける理由は、後述する第３受光部２３０に後方散乱成分を含む強い散乱光が入射してしまうのを防止するためである。【００４０】
第１受光部２１０は、チューブ３００内部を流れる血液で散乱された光のうち、血液を通過した成分（即ち、前方散乱成分）を受光可能な位置に配置されている。具体的には、第１受光部２１０は、チューブ３００から見て、照射部１００とは反対側の位置に配置されている。第１受光部２１０は、受光した前方散乱成分に応じた信号を血液情報処理部４００に出力する。【００４１】
第２受光部２２０は、チューブ３００内部を流れる血液で散乱された光のうち、照射部１００が位置する方向に散乱された成分（即ち、後方散乱成分）を受光可能な位置に配置されている。具体的には、第２受光部２２０は、照射部１００に極めて近い位置に配置されている。第２受光部２２０は、受光した後方散乱成分に応じた信号を血液情報処理部４００に出力する。【００４２】
第３受光部２３０は、チューブ３００内部を流れる血液で散乱された光のうち、照射部１００が位置する方向とは異なる方向に散乱された成分（即ち、側方散乱成分）を受光可能な位置に配置されている。具体的には、第３受光部２３０は、照射部１００から照射される光の光軸とθ２の角度をなす方向に配置されている。θ２は、９０度近傍の値である。【００４３】
血液情報処理部４００は、第１受光部２１０、第２受光部２２０及び第３受光部２３０から入力される受光信号に基づいて、血液情報（ここでは、血液のヘマトクリット値）を演算し出力する。血液情報の演算方法については、後に詳述する。【００４４】
なお、説明の便宜上、図１では各受光部の位置関係を平面的に図示しているが、各受光部は３次元的に配置されてもよい。以下では、第１受光部２１０、第２受光部２２０及び第３受光部２３０の３次元的配置について、図２及び図３を参照して説明する。図２は、照射光の複数の散乱成分と各受光部の配置位置とを示す側面図（その１）である。図３は、照射光の複数の散乱成分と各受光部の配置位置とを示す断面図（その２）である。【００４５】
図２及び図３の座標軸は、図１の座標軸に夫々対応している。即ち、図２は、図の左側から右側へと血液が流れる方向での断面図である。一方、図３は、図の奥側から図の手前側に血液が流れる方向での断面図である。【００４６】
図２及び図３に示すように、散乱光の各種成分（即ち、前方散乱光成分、後方散乱光成分、及び側方散乱光成分）の各々は、散乱箇所（具体的には、血液の表層部分）から３次元的に放射状に広がる。このため、第１受光部２１０、第２受光部２２０及び第３受光部２３０の各々を、図２及び図３に示すように３次元的に配置した場合であっても、各受光部は好適に散乱成分を受光することができる。３次元的な配置が可能なことで、各受光部の配置レイアウトの自由度が向上する。【００４７】
続いて、各散乱成分の関係とそれに起因する問題点について、図４及び図５を参照して説明する。図４は、透過光量と側方散乱光量との関係を示すグラフである。図５は、透過光量と後方散乱光量との関係を示すグラフである。【００４８】
図４に示すように、第１受光部２１０が受光した光量（以下、適宜「透過光量」と称する）と、第３受光部２３０が受光した光量（以下、適宜「側方散乱光量」と称する）との関係は、血液中の血漿中のタンパク濃度が濃い場合と薄い場合とで変化する。具体的には、血漿中のタンパク濃度が変化すると、透過光量の対数（Ｌｏｇ透過光量）と側方散乱光量との関係が直線的に変化する。ただし、この時の直線の傾きは、血液の種類によって違う。図を見ても分かるように、血液Ａと血液Ｂとでは直線の傾きが明らかに異なる。【００４９】
図５に示すように、第１受光部２１０が受光した光量（即ち、透過光量）と、第２受光部２２０が受光した光量（以下、適宜「後方散乱光量」と称する）との関係も、血液中の血漿中のタンパク濃度が濃い場合と薄い場合とで変化する。具体的には、血漿中のタンパク濃度が変化すると、透過光量の対数（Ｌｏｇ透過光量）と後方散乱光量との関係が直線的に変化する。ただし、この時の直線の傾きも、血液の種類によって違う。図を見ても分かるように、血液Ａと血液Ｂとでは直線の傾きが明らかに異なる。【００５０】
図４及び図５の結果は、透過光量及び側方散乱光量、あるいは透過光量及び後方散乱光量からでは、正確にヘマトクリット値が計測できないことを意味している。本実施例に係る計測装置は、このような問題を解決するために、３種類の散乱光成分を利用してヘマトクリット値を算出する。【００５１】
続いて、第１実施例に係る計測装置によるヘマトクリット値の導出方法について、図６を参照して説明する。図６は、透過光量と側方散乱光量及び後方散乱光の和（側方散乱光量及び後方散乱光の平均値）との関係を示すグラフである。【００５２】
図６に示すように、本願発明者の研究するところによれば、透過光量と、側方散乱光量及び後方散乱光量の和と間に一定の関係があることが判明している。具体的には、透過光量をＬ１、側方散乱光量をＬ２、後方散乱光量をＬ３とすると、以下の関係が成立する。【００５３】
α×Ｌ２＋β×Ｌ３∝ＬｏｇＬ１  ：（α×β≠０）
なお、α及びβは所定のゲイン係数である。【００５４】
以上の結果、透過光量、側方散乱光量及び後方散乱光量を夫々計測すれば、上記関係を利用してヘマトクリット値を演算できる。なお、ヘマトクリット値は、所定の数式を利用して演算してもよいし、図６に示すようなマップを予め用意しておいて決定してもよい。【００５５】
例えば、透過光量（即ち、ＬｏｇＬ１）がＡの時、側方散乱光量及び後方散乱光量の和（即ち、（α×Ｌ２＋β×Ｌ３）／２）がａであれば、ヘマトクリット値はＨｃｔ＝５０であると決定できる。一方、透過光量（即ち、ＬｏｇＬ１）がＡの時、側方散乱光量及び後方散乱光量の和（即ち、（α×Ｌ２＋β×Ｌ３）／２）がｂであれば、ヘマトクリット値はＨｃｔ＝４０であると決定できる。【００５６】
以上説明したように、第１実施例に係る計測装置によれば、透過光量（即ち、散乱光の前方散乱成分）、側方散乱光量（即ち、散乱光の側方散乱成分）及び後方散乱光量（即ち、散乱光の後方散乱成分）を夫々計測することで、正確なヘマトクリット値を演算することができる。【００５７】
＜第２実施例＞
次に、第２実施例に係る計測装置について、図７を参照して説明する。図７は、第２実施例に係る計測装置の構成を示す平面図である。【００５８】
なお、第２実施例は、上述した第１実施例と比較して一部の構成が異なるのみであり、その他の部分については概ね同様である。このため、以下では第１実施例と異なる部分についてのみ詳細に説明し、重複する部分については適宜説明を省略するものとする。【００５９】
図７に示すように、第２実施例に係る計測装置は、２つの照射部（具体的には、第１照射部１１０及び第２照射部１２０）を備えて構成されている。【００６０】
第１照射部１１０は、透過光量及び後方散乱光量を計測するための光を照射する。このため、前方散乱成分を受光する第１受光部２１０は、チューブ３００から見て第１照射部１１０と反対側に配置され、後方散乱成分を受光する第２受光部２２０は、第１照射部１１０の極めて近くに配置される。【００６１】
第２照射部１２０は、側方散乱光量を計測するための光を照射する。このため、第２照射部１２０は、照射する光の光軸が、血液の流れる方向（即ち、流軸）に対してθ１の角度をなすように配置されている。また、第３受光部２３０は、第２照射部１２０が照射する光の光軸とθ２の角度をなす方向に配置される。【００６２】
第２実施例に係る計測装置によれば、２つの照射部を備えているため、各散乱成分に応じた計測条件を実現できる。具体的には、側方散乱光量を計測するための第２照射部１２０の光軸を斜めにする一方で、第１照射部１１０が照射する光が流軸に対してほぼ垂直に入射するように配置することで、第１照射部１１０の光軸が斜めになる場合と比較して透過光の散乱範囲を狭め、第１検出部２１０の小型化を図ることができる。【００６３】
本発明は、上述した実施形態に限られるものではなく、特許請求の範囲及び明細書全体から読み取れる発明の要旨或いは思想に反しない範囲で適宜変更可能であり、そのような変更を伴う計測装置、計測方法、コンピュータプログラム及び記憶媒体もまた本発明の技術的範囲に含まれるものである。
【符号の説明】
【００６４】
１００  照射部
１１０  第１照射部
１２０  第２照射部
２１０  第１受光部
２２０  第２受光部
２３０  第３受光部
３００  チューブ
４００  血液情報処理部
【図１】
2019064559.tif 000003
【図２】
2019064559.tif 000004
【図３】
2019064559.tif 000005
【図４】
2019064559.tif 000006
【図５】
2019064559.tif 000007
【図６】
2019064559.tif 000008
【図７】
2019064559.tif 000009
【国際調査報告】
2019064559.tif 000010
2019064559.tif 000011
2019064559.tif 000012
2019064559.tif 000013